(57)【要約】  障害発生時に出力を強制断にして障害通知を伝搬させても監視制御データの通信が可能で、かつ二重障害が発生しても不要な接続検出または強制断の誤動作を避けることもできる伝送装置および信頼性の高い障害通知方法を得ること。  ２つの通信機器間に敷設される２本の伝送路上に間隔を置いて２つの伝送装置を配置する構成を有する通信システムに適用される。リンクは通信機器と直接接続される伝送路、ラインは対向する伝送装置と接続される伝送路である。各伝送装置の監視制御部は、受信部（１３，１４）からの障害検出情報を元にリンクおよびラインの状態情報を生成し、対向する伝送装置に通知する。また、対向する伝送装置から通知される状態情報が受信部（１３）から入力すると、送信部（１４）に送信信号を強制断にする制御を行わせる。伝送路障害が発生した場合に、通信機器への通知を伝送装置間の通信を維持して行うことができる。【特許請求の範囲】
【請求項１】
第１および第２の通信機器の間に敷設される２本の伝送路上に間隔を置いて配置される第１および第２の伝送装置であり、前記第１の通信機器と前記第１の伝送装置との間の伝送路、前記第２の伝送装置と前記第２の通信機器との間の伝送路をそれぞれリンクと称し、前記第１および第２の伝送装置間の伝送路をラインと称した場合に、前記第１および第２の伝送装置は、それぞれ、
前記リンクから取り込んだリンク受信信号を前記ラインに送出する際に前記リンク受信信号から前記リンクの障害を検出することができ、また内部から第１のリンク状態情報を受け取ったときそれを前記ラインに送出する第１の送受信手段と、
前記ラインから取り込んだ前記受信信号に対向する伝送装置からの第２のリンク状態情報が含まれているときはその第２のリンク状態情報を除いたライン受信信号を前記リンクに送出する際に前記ライン受信信号から前記ラインの障害を検出することができ、また内部から指示を受けて前記リンクに送出する信号の強制断とその解除を行うことができる第２の送受信手段と、
前記第１および第２の送受信手段が検出したリンクおよびラインの状態に基づきリンクおよびラインの障害状態または正常状態を示す前記第１のリンク状態情報を生成しそれを前記第１の送受信手段を通して対向する伝送装置に通知し、また前記第２の送受信手段がラインの障害を検出したときまたは前記第２のリンク状態情報がリンクまたはラインの障害を示すとき前記第２の送受信手段に前記強制断動作を行わせ、前記第２の送受信手段がラインの復旧を検出したときまたは前記第２のリンク状態情報がリンクまたはラインの復旧を示すとき前記第２の送受信手段に前記強制断の解除動作を行わせる監視制御手段と、
を備えたことを特徴とする伝送装置。
【請求項２】
前記監視制御手段は、前記第２の送受信手段に、前記第１の送受信手段がリンクの障害を検出したとき前記強制断動作を行わせ、前記第１の送受信手段がリンクの復旧を検出したとき前記強制断の解除動作を行わせることを特徴とする請求項１に記載の伝送装置。
【請求項３】
前記監視制御手段は、前記第２の送受信手段に、前記第２のリンク状態情報がラインの障害を示すとき前記強制断動作を行わせ、前記第２のリンク状態情報がラインの復旧を示すとき前記強制断の解除動作を行わせることを特徴とする請求項１に記載の伝送装置。
【請求項４】
前記監視制御手段は、前記第１の送受信手段がリンクの障害を検出したがその復旧を検出する前に対向する伝送装置からラインの障害を示す前記第２のリンク状態情報を受け取った場合は、前記第１の送受信手段がリンクの復旧を検出した後に前記第２の送受信手段に前記強制断動作を行わせ、対向する伝送装置からラインの復旧を示す前記第２のリンク状態情報を受け取ったときに前記第２の送受信手段に前記強制断の解除動作を行わせることを特徴とする請求項１に記載の伝送装置。
【請求項５】
前記監視制御手段は、前記第２の送受信手段に前記強制断の解除動作を行わせる場合、前記解除動作後一定時間の経過を待って前記第１および第２の通信機器の間でのデータ通信が行える正常状態に移行することを特徴とする請求項１に記載の伝送装置。
【請求項６】
第１および第２の通信機器の間に敷設される２本の伝送路上に第１および第２の伝送装置が間隔を置いて配置する構成を有する通信システムにおいて、前記第１の通信機器と前記第１の伝送装置との間の伝送路を前記第１の伝送装置ではローカルリンクと称し、前記第２の伝送装置ではリモートリンクと称し、前記第２の伝送装置と前記第２の通信機器との間の伝送路を前記第１の伝送装置ではリモートリンクと称し、前記第２の伝送装置ではローカルリンクと称し、前記第１および第２の伝送装置間の伝送路をラインと称した場合に、前記第１および第２の伝送装置は、
前記第１および第２の通信機器の間でのデータ通信が行える正常状態において、ローカルリンクに障害に発生した場合はローカルリンク障害を示すリンク状態情報を対向する伝送装置に発行してローカルリンク障害状態に遷移し、その後、ローカルリンクが復旧した場合はローカルリンク正常を示す前記リンク状態情報を対向する伝送装置に発行して前記ローカルリンク障害状態から前記正常状態に遷移する工程と、
前記正常状態において、対向する伝送装置からリモートリンク障害を示すリンク状態情報を受け取ったときはローカルリンクに送出する信号を強制断にしてリモートリンク障害状態に遷移し、その後、対向する伝送装置からリモートリンク正常を示すリンク状態情報を受け取ったとき前記強制断を解除して前記リモートリンク障害状態から前記正常状態に遷移する工程と、
前記正常状態において、ラインに障害が発生した場合はローカルリンクに送出する信号を強制断にし、かつ対向する伝送装置に対してライン障害を示すリンク状態情報を発行してライン障害状態に遷移し、その後、ラインが復旧した場合は前記強制断を解除し、かつ対向する伝送装置に対してライン正常を示すリンク状態情報を発行して前記ライン障害状態から前記正常状態に遷移する工程と、
を含むことを特徴とする障害通知方法。
【請求項７】
前記正常状態において、ローカルリンクに障害が発生した場合はローカルリンクに送出する信号を強制断にし、かつローカルリンク障害を示すリンク状態情報を対向する伝送装置に発行してローカルリンク障害状態に遷移し、その後、ローカルリンクが復旧した場合は前記強制断を解除するとともにローカルリンク正常を示す前記リンク状態情報を対向する伝送装置に発行して前記ローカルリンク障害状態から前記正常状態に遷移する工程、を含むことを特徴とする請求項６に記載の障害通知方法。
【請求項８】
前記正常状態において、対向する伝送装置からライン障害を示すリンク状態情報を受け取ったときはローカルリンクに送出する信号を強制断にしてライン障害状態に遷移し、その後、対向する伝送装置からライン正常を示すリンク状態情報を受け取ったとき前記強制断を解除して前記ライン障害状態から前記正常状態に遷移する工程、を含むことを特徴とする請求項６に記載の障害通知方法。
【請求項９】
前記ローカルリンク障害状態に遷移した後にローカルリンクが復旧した場合は、全てのリンクおよびラインの正常性を確認してローカルリンクへの信号送出を強制断にしている場合はそれを解除してローカルリンク障害状態から前記正常状態に遷移し、リモートリンク障害が発生した場合はローカルリンク障害状態からリモートリンク障害状態に遷移し、ライン障害が発生した場合はローカルリンク障害状態からライン障害状態に遷移する工程と、
リモートリンク障害状態に遷移した後にリモートリンクが復旧した場合は、全てのリンクおよびラインの正常性を確認してローカルリンクへの信号送出の強制断処理を解除してリモートリンク障害状態から前記正常状態に遷移し、ローカルリンク障害が発生した場合はリモートリンク障害状態からローカルリンク障害状態に遷移し、ライン障害が発生した場合はローカルリンク障害状態からライン障害状態に遷移する工程と、
ライン障害状態に遷移した後にラインが復旧した場合は全てのリンクおよびラインの正常性を確認してローカルリンクへの信号送出の強制断処理を解除してライン障害状態から前記正常状態に遷移し、ローカルリンク障害が発生した場合はライン障害状態からローカルリンク障害状態に遷移し、リモートリンク障害が発生した場合はライン障害状態からリモートリンク障害状態に遷移する工程と、
を含むことを特徴とする請求項６に記載の障害通知方法。
【請求項１０】
前記ローカルリンク障害状態に遷移した後にライン障害が発生した場合は、ラインローカル障害状態に遷移しローカルリンクが復旧した場合でも前記ラインローカル障害状態を維持し、ラインが復旧した場合に前記ローカルリンク障害状態に遷移する工程と、
前記リモートルリンク障害状態に遷移した後に、ライン障害が発生した場合はラインリモート障害状態に遷移しリモートリンクが復旧した場合でも前記ラインリモート障害状態を維持し、ラインが復旧した場合に前記リモートリンク障害状態に遷移する工程と、
を含むことを特徴とする請求項６に記載の障害通知方法。
【請求項１１】
前記ローカルリンク障害状態に遷移した後にローカルリンクが復旧した場合は、ローカルリンクへの信号送出を強制断にしている場合はそれを解除してローカルリンク復旧待ち状態に遷移し、一定時間の経過後に前記ローカルリンク復旧待ち状態から前記正常状態に遷移する工程と、
前記リモートリンク障害状態に遷移した後にリモートリンクが復旧した場合は、ローカルリンクへの信号送出の強制断を解除してリモートリンク復旧待ち状態に遷移し、一定時間の経過後に前記リモートリンク復旧待ち状態から前記正常状態に遷移する工程と、
ライン障害状態に遷移した後にラインが復旧した場合は、ローカルリンクへの信号送出の強制断を解除してライン復旧待ち状態に遷移し、一定時間の経過後に前記ライン復旧待ち状態から前記正常状態に遷移する工程と、
を含むことを特徴とする請求項６に記載の障害通知方法。
【発明の詳細な説明】
【技術分野】
【０００１】
この発明は、イーサネット（登録商標）信号の伝送装置および障害通知方法に関するものである。
【背景技術】
【０００２】
イーサネット（登録商標）信号の伝送装置として、例えばレイヤ２スイッチなどのノード装置間の伝送距離拡大や通信媒体変換のために使用される伝送装置は、メディアコンバータと呼ばれているが、ノード装置間で送受信されるユーザデータであるＭＡＣフレームを転送する。【０００３】
ところで、ノード装置間にメディアコンバータを多段に接続して配置した伝送系において、上流側の伝送路が障害を起こした場合、発信元のノード装置から送信されてきたユーザデータは障害が発生している伝送路で失われる。【０００４】
この場合、メディアコンバータは、障害通知手段を持たないので、受信信号の入力断が起きても、ユーザデータが存在しないことを示すが、イーサネット（登録商標）信号としては正常であるアイドル信号を下流側の伝送路へ送信し続ける。【０００５】
このため、受け取り側のノード装置では、障害によってユーザデータの通信ができない状態であっても、上流側で伝送路障害が起きたのではなく、発信元のノード装置が送信するユーザデータを持たない状態だと誤って判断する。また、保守切替のために伝送路を二重化している場合、障害を起こしてもリンクアップしたままであると、予備経路への切り替えができないという問題も生じる。【０００６】
この問題を解決するため、例えば、特許文献１では、伝送路からの受信信号断を検出した場合に、メディアコンバータが下流側への送信信号出力を強制断にするリンクパススルーという動作を行うことにより、信号断を下流側に伝搬させ、受信側のノード装置に障害通知を行う技術が提案されている。【０００７】
【特許文献１】特開２００４−１８７２１３号公報
【発明の開示】
【発明が解決しようとする課題】
【０００８】
しかし、上記のリンクパススルー機能を備えたメディアコンバータ（伝送装置）を用いた場合、例えば、メディアコンバータ（伝送装置）の管理者が、ノード装置からのユーザデータに加え、使用する監視制御データを中間のリンクを利用して通信している場合に障害が発生すると、送信信号を強制断にするので、監視制御データの通信もできなくなるという問題がある。【０００９】
また、上記のリンクパススルー機能を備えたメディアコンバータ（伝送装置）は、受信信号が復旧した場合、送信信号の強制断を解除するようにしてあるので、二重障害が発生し一つの障害が復旧した場合に、もう一つの障害が復旧していないまま不要なリンクアップを起こすという問題も生じる。【００１０】
この発明は、上記に鑑みてなされたものであり、障害発生時に出力を強制断にして障害通知を伝搬させても監視制御データの通信が可能で、かつ二重障害が発生しても不要な接続検出または強制断の誤動作を避けることもできる伝送装置および信頼性の高い障害通知方法を得ることを目的とする。
【課題を解決するための手段】
【００１１】
上述した目的を達成するために、この発明は、第１および第２の通信機器の間に敷設される２本の伝送路上に間隔を置いて配置される第１および第２の伝送装置であり、前記第１の通信機器と前記第１の伝送装置との間の伝送路、前記第２の伝送装置と前記第２の通信機器との間の伝送路をそれぞれリンクと称し、前記第１および第２の伝送装置間の伝送路をラインと称した場合に、前記第１および第２の伝送装置は、それぞれ、前記リンクから取り込んだリンク受信信号を前記ラインに送出する際に前記リンク受信信号から前記リンクの障害を検出することができ、また内部から第１のリンク状態情報を受け取ったときそれを前記ラインに送出する第１の送受信手段と、前記ラインから取り込んだ前記受信信号に対向する伝送装置からの第２のリンク状態情報が含まれているときはその第２のリンク状態情報を除いたライン受信信号を前記リンクに送出する際に前記ライン受信信号から前記ラインの障害を検出することができ、また内部から指示を受けて前記リンクに送出する信号の強制断とその解除を行うことができる第２の送受信手段と、前記第１および第２の送受信手段が検出したリンクおよびラインの状態に基づきリンクおよびラインの障害状態または正常状態を示す前記第１のリンク状態情報を生成しそれを前記第１の送受信手段を通して対向する伝送装置に通知し、また前記第２の送受信手段がラインの障害を検出したときまたは前記第２のリンク状態情報がリンクまたはラインの障害を示すとき前記第２の送受信手段に前記強制断動作を行わせ、前記第２の送受信手段がラインの復旧を検出したときまたは前記第２のリンク状態情報がリンクまたはラインの復旧を示すとき前記第２の送受信手段に前記強制断の解除動作を行わせる監視制御手段とを備えたことを特徴とする。【００１２】
この発明によれば、伝送路障害が発生した場合に、信号の強制断処理による通信機器への障害通知を伝送装置間の通信を維持して行うことができる。また、リンクおよびラインの障害状態を監視して信号の強制断処理を行うリンクを適切に選択できるので、二重障害が発生しても不要な接続検出または強制断の誤動作を避けることができる。
【発明の効果】
【００１３】
この発明によれば、障害発生時に出力を強制断にして障害通知を伝搬させても監視制御データの通信が可能で、かつ二重障害が発生しても不要な接続検出または強制断の誤動作を避けることもできるという効果を奏する。
【図面の簡単な説明】
【００１４】
【図１】図１は、この発明の実施の形態１による伝送装置の構成を示すブロック図である。
【図２】図２は、この発明にかかる伝送装置が適用される通信システムの基本構成を示すブロック図である。
【図３】図３は、図１に示す伝送装置で行われる状態遷移を説明する図である。
【図４】図４は、図２に示した通信システムにおいて片方のリンクに障害が発生した場合を示す図である。
【図５】図５は、図４に示す片方リンク障害が発生した場合の復旧に至る過程での動作シーケンスおよび各リンクの状態を示す図である。
【図６】図６は、図２に示した通信システムにおいてラインに障害が発生した場合を示す図である。
【図７】図７は、図６に示すライン障害が発生した場合の復旧に至る過程での動作シーケンスおよび各リンクの状態を示す図である。
【図８】図８は、図２に示したリンクに１０００ＢＡＳＥ−Ｔを用いた場合の片方リンク障害に対する動作を従来の伝送装置とこの実施の形態１による伝送装置とで比較して説明する図である。
【図９】図９は、この発明の実施の形態２による伝送装置にて行われる状態遷移を説明する図である。
【図１０】図１０は、図２に示す通信システムにおいてリンクおよびラインに障害が発生した場合を示す図である。
【図１１】図１１は、図１０に示すリンクおよびラインに障害が発生した場合に図９に示す状態遷移による復旧に至る過程での動作シーケンスおよび各リンクの状態を示す図である。
【図１２】図１２は、この発明の実施の形態３による伝送装置にて行われる状態遷移を説明する図である。
【図１３】図１３は、この発明の実施の形態４による伝送装置にて行われる状態遷移を説明する図である。
【図１４】図１４は、図４に示す片方リンク障害が発生した場合の復旧に至る過程での動作シーケンスおよび各リンクの状態を示す図（図１３に示す復旧待ち状態を設けない場合）である。
【図１５】図１５は、図４に示す片方リンク障害が発生した場合の復旧に至る過程での動作シーケンスおよび各リンクの状態を示す図（図１３に示す復旧待ち状態を設けた場合）である。
【符号の説明】
【００１５】
１０，３２，３３  伝送装置
１１，１３  受信部
１２，１４  送信部
１５  監視制御部
【発明を実施するための最良の形態】
【００１６】
以下に図面を参照して、この発明にかかる伝送装置および障害通知方法の好適な実施の形態を詳細に説明する。【００１７】
実施の形態１．
図１は、この発明の実施の形態１による伝送装置の構成を示すブロック図である。図２は、この発明にかかる伝送装置が適用される通信システムの基本構成を示すブロック図である。【００１８】
図２に示すように、この発明にかかる伝送装置が適用される通信システムは、通信機器であるノード装置３０とノード装置３１との間に敷設される往路と復路の２本の伝送路上に、少なくとも２つの伝送装置３２，３３が配置される構成である。２つの伝送装置３２，３３は、それぞれ、図１に示すように構成されるが、伝送路の距離延長や通信媒体変換の機能を有している。なお、通信媒体変換の機能とは、メタルケーブルと光ファイバケーブルとの整合を採る機能や同一の通信媒体において符号化形式、伝送速度などの整合を採る機能である。【００１９】
図２では、ノード装置３０に伝送路３４（３４ａ，３４ｂ）を介して伝送装置３２が接続され、伝送装置３２に伝送路３５（３５ａ，３５ｂ）を介して伝送装置３３が接続され、伝送装置３３に伝送路３６（３６ａ，３６ｂ）を介してノード装置３１が接続されている。【００２０】
ここで、伝送路の呼称として、ノード装置と伝送装置との間を直接接続する伝送路３４（３４ａ，３４ｂ）および伝送路３６（３６ａ，３６ｂ）は、それぞれリンクと称し、２つの伝送装置３２，３３の間を接続する伝送路３５（３５ａ，３５ｂ）をラインと称して区別する。そして、２つの伝送装置３２，３３が２つのリンクを区別するために、伝送装置３２では、リンク３４（３４ａ，３４ｂ）をローカルリンクと称し、リンク３６（３６ａ，３６ｂ）をリモートリンクと称する。同様に、伝送装置３３では、リンク３６（３６ａ，３６ｂ）をローカルリンクと称し、リンク３４（３４ａ，３４ｂ）をリモートリンクと称することとしている。【００２１】
さて、図１に示す伝送装置１０は、リンク側からライン側に向かって配置される受信部１１および送信部１２と、ライン側からリンク側に向かって配置される受信部１３および送信部１４と、これらが接続される監視制御部１５とを備えている。【００２２】
図１において、受信部１１は、直接接続されるノード装置がリンクに送出した信号を取り込み送信部１２に転送する。このとき、受信部１１は、リンクからの受信信号に障害発生を検出すると、その旨を監視制御部１５に通知する。送信部１２は、受信部１１から転送される信号をラインに送出する。このとき、送信部１２は、監視制御部１５から監視結果を示す状態情報が入力すると、それをラインに送出する。【００２３】
また、受信部１３は、対向する伝送装置がラインに送出した信号を取り込み送信部１４に転送する。このとき、受信部１３は、ラインからの受信信号に障害発生を検出すると、その旨を監視制御部１５に通知する。また、受信部１３は、受信信号が監視結果を示す状態情報であるときはそれを監視制御部１５に与える。送信部１４は、受信部１３から転送される信号をリンクに送出する。このとき、送信部１４は、監視制御部１５からに指示に従ってリンクへの送信信号を強制断にして停止することを行う。【００２４】
監視制御部１５は、受信部１１，１３からの障害検出情報を元にリンクおよびラインの状態情報を生成し、それを送信部１２に与えてラインに送出させ、対向する伝送装置に通知する。また、対向する伝送装置から通知される状態情報が受信部１３から入力すると、送信部１４に送信信号を強制断にする指示を与える制御を行う。具体的には、監視制御部１５は、伝送路の健全性を例えば図３に示すように管理・制御し、伝送路障害が発生した場合に、適切に障害発生を通知する制御動作を行うようになっている。【００２５】
図３は、図１に示す伝送装置で行われる状態遷移を説明する図である。図３に示すように、図１に示す伝送装置１０では、ローカルリンク障害状態Ｓ２０と、ライン障害状態Ｓ２１と、リモートリンク障害状態Ｓ２２と、正常状態Ｓ２３とに分けて管理できるようになっている。【００２６】
図３において、ローカルリンク障害状態Ｓ２０は、自伝送装置とノード装置との接続リンクであるローカルリンク上に障害が生じている状態である。ライン障害状態Ｓ２１は、対向する伝送装置との間のラインに障害が生じている状態である。リモートリンク障害状態Ｓ２２は、対向する伝送装置と当該他の伝送装置が接続されるノード装置との接続リンクであるリモートリンク上に障害が生じている状態である。正常状態Ｓ２３は、ライン、ローカルリンクおよびリモートリンクに異常がなく、伝送装置を介して接続されるノード装置間でユーザデータが含まれる正常なイーサネット（登録商標）信号が送受信されている、ないしは送受信できる状態である。したがって、正常状態Ｓ２３は、障害が発生した場合に、障害通知動作を作動させる待ち状態であるということになる。【００２７】
伝送装置１０では、正常状態Ｓ２３からローカルリンク障害状態Ｓ２０に、ライン障害状態Ｓ２１に、リモートリンク障害状態Ｓ２２にそれぞれ遷移する場合、ローカルリンク上に送信する信号を強制断にする。また、伝送装置１０では、ローカルリンク障害状態Ｓ２０ではローカルリンク障害が排除された場合に、ライン障害状態Ｓ２１ではライン障害が排除された場合に、リモートリンク障害状態Ｓ２２ではリモートリンク障害が排除された場合にのみ、それぞれ正常状態Ｓ２３に遷移する。このとき、伝送装置１０では、先に措置していたローカルリンク上に送信する信号の強制断を、正常状態Ｓ２３への復旧遷移と同時に解除する。【００２８】
次に、図３〜図８を参照して、実施の形態１による伝送装置で行われる障害通知動作について説明する。なお、図４は、図２に示した通信システムにおいて片方のリンクに障害が発生した場合を示す図である。図５は、図４に示す片方リンク障害が発生した場合の復旧に至る過程での動作シーケンスおよび各リンクの状態を示す図である。図６は、図２に示した通信システムにおいてラインに障害が発生した場合を示す図である。図７は、図６に示すライン障害が発生した場合の復旧に至る過程での動作シーケンスおよび各リンクの状態を示す図である。図８は、図２に示したリンクに１０００ＢＡＳＥ−Ｔを用いた場合の片方リンク障害に対する動作を従来の伝送装置とこの実施の形態１による伝送装置とで比較して説明する図である。【００２９】
まず、片方のリンクに障害が発生した場合の障害通知動作を説明する。図４では、ノード装置３０から伝送装置３２への送信に用いるリンク３４ａに障害３８が発生したとしている。図５において、伝送装置３２は、リンク３４ａから取り込んだ受信信号によって障害３８を検出するまではリンク３４（３４ａ，３４ｂ）は正常状態４１であると認識している（正常状態Ｓ２３）。そして、伝送装置３２は、リンク３４ａから取り込んだ受信信号によって障害３８を検出すると、リンク３４（３４ａ，３４ｂ）は障害状態４２であると認識する。【００３０】
つまり、伝送装置３２では、正常状態Ｓ２３からローカルリンク障害状態Ｓ２０に遷移する。すなわち、リンク３４ａの障害を示すリンク状態情報４３を対向する伝送装置３３に通知する（手順Ｔ１０）。また、必要に応じて、リンク３４ｂに送出する信号を強制的に遮断してノード装置３０に障害発生を通知する。なお、必要に応じてとは、ノード装置３０がリンク３４ｂによるデータ通信の停止を必要としない場合があることを意味している。図５では、リンク３４ｂに送出する信号を強制断にしない場合を示している。【００３１】
伝送装置３３では、伝送装置３２からリンク状態情報４３を受信するまでは、リンク３６（３６ａ，３６ｂ）は正常状態４４であると認識している（正常状態Ｓ２３）。そして、伝送装置３２からリンク状態情報４３を受信すると、正常状態Ｓ２３からリモートリンク障害状態Ｓ２２に遷移する。すなわち、リンク３６ａに送出する信号を強制的に遮断し（リンク３６強制断状態４５）、ノード装置３１に障害発生を通知する（手順Ｔ１１）。【００３２】
伝送装置３２では、リンク３４ａの障害３８が復旧すると、リンク３４（３４ａ，３４ｂ）は正常状態４７であると認識し正常状態Ｓ２３に戻り、リンク３４ａが正常状態であることを示すリンク状態情報４６を伝送装置３３に送信する。また、リンク３４ｂを強制断にしている場合はそれを解除し、ノード装置３０に復旧を通知する（手順Ｔ１２）。リンク３４ｂを強制断にしていない場合は、ノード装置３０は、リンク３４ａが復旧したことを管理者から知らされるようになっている。【００３３】
伝送装置３３では、リンク状態情報４６を受信すると、正常状態Ｓ２３に戻り、リンク３６ａの強制断を解除してリンク３６を正常状態４８に設定し、ノード装置３１に復旧を通知する。これによって、ノード装置３０とノード装置３１との間のユーザデータ通信が再開される。【００３４】
次に、ラインに障害が発生した場合の障害報知動作を説明する。図６では、伝送装置３３から伝送装置３２への送信に用いるライン３５ｂに障害５０が発生したとしている。図７において、伝送装置３２は、ライン３５ａから取り込んだ受信信号によって障害５０を検出するまでは、リンク３４（３４ａ，３４ｂ）は正常状態５１であると認識している（正常状態Ｓ２３）。【００３５】
そして、伝送装置３２は、ライン３５ａから取り込んだ受信信号によって障害５０を検出すると、正常状態Ｓ２３からライン障害状態Ｓ２１に遷移する。すなわち、ライン３５ｂの障害を示すリンク状態情報５３を対向する伝送装置３３に通知すると同時に、リンク３４ｂに送出する信号を強制的に遮断し（リンク３４強制断状態５２）、ノード装置３０に障害発生を通知する。（手順Ｔ１６）。【００３６】
伝送装置３３では、伝送装置３２からリンク状態情報５３を受信するまではリンク３６（３６ａ，３６ｂ）は正常状態５４であると認識している（正常状態Ｓ２３）。そして、伝送装置３２からリンク状態情報５３を受信すると、正常状態Ｓ２３からライン障害状態Ｓ２１に遷移する（手順Ｔ１７）。このとき、必要に応じてリンク３６ａに送出する信号を強制的に遮断し（リンク３６強制断状態５５）、ノード装置３１に障害発生を通知する。なお、必要に応じてとは、ノード装置３１がリンク３６ａによるデータ通信の停止を必要としない場合があることを意味している。【００３７】
伝送装置３２では、ライン３５ｂの障害５０が復旧すると、正常状態Ｓ２３に戻り、ライン３５ｂが正常状態であることを示すリンク状態情報５７を伝送装置３３に送信する。また、リンク３４ｂの強制断を解除してリンク３４（３４ａ，３４ｂ）を正常状態５６に設定し、ノード装置３０に復旧を通知する（手順Ｔ１８）。【００３８】
伝送装置３３では、リンク状態情報５７を受信すると、正常状態Ｓ２３に戻り、リンク３６ａ強制断にしている場合はそれを解除してリンク３６を正常状態５８に設定し、ノード装置３１に復旧を通知する。リンク３６ａを強制断にしていない場合は、ノード装置３１は、リンク３６ａが復旧したことを管理者から知らされるようになっている。これによって、ノード装置３０とノード装置３１との間のユーザデータ通信が再開される。【００３９】
このように、ライン障害発生時でもラインを強制断にせず信号接続を継続するようにしたので、ラインを通じて行っていた監視制御の通信を維持したままノード装置への障害通知を実行することができる。【００４０】
ところで、リンクとしてＩＥＥＥ８０２．３規格で規定されている１０００ＢＡＳＥ−Ｔを使用することがある。１０００ＢＡＳＥ−Ｔでは、送信信号と受信信号とが使用するクロックを同期させるため、一方のノード装置からの送信信号が障害で喪失または停止した場合に、対向する他方のノード装置からの送信信号も停止する場合がある。この後、両装置は通信を再開するため、通信開始時に設定情報を交換するためのパルスを出力する。但し、この段階では、パルスを検出してもリンクはダウンしたままだと判断される。リンク上の障害が排除されると、両装置間でパルスの受け渡しが可能になり、リンクアップして信号の送受信を再開する。【００４１】
そこで、図８を参照して、このような１０００ＢＡＳＥ−Ｔをリンクに使用した場合における従来の伝送装置の動作とこの実施の形態１による伝送装置の動作について比較して説明する。図８では、ノード装置３０から伝送装置３２への送信に用いるリンク３４ａに障害６０が発生したとしている。【００４２】
まず、伝送装置３２，３３が従来の伝送装置である場合の動作は、次のようになる。まず、リンク３４ａで発生した障害６０を検出した伝送装置３２は、リンク３４ｂを強制断６１にする。一方、状態情報によってリモートリンク障害を知った伝送装置３３は、リンク３６ａを強制断６２にする。このとき、送信信号の停止によってノード装置３１の送信信号も信号断６３になる。伝送装置３３は、このリンク断６３をローカルリンク障害として検出する。この後、障害６０が復旧したとき、当該通信システム内の全てのリンクまたはラインが復旧した場合に強制断６１を解除するようにしている場合、リンク３４ａが復旧しても、二次的に生じたリンク３６ｂの信号断６３によってリンク３４ｂの強制断６１は解除されることはない。【００４３】
これに対し、この実施の形態１による伝送装置３２，３３では、上記したように、各伝送装置がローカルリンクの障害による信号断であるか、リモートリンクの障害断により強制断をしているかを、状態遷移で識別できるようにしているので、対向する伝送装置からのリンク障害を示す状態情報か、障害による二次的に生じた信号断であるか否かを判断することが可能となる。したがって、図８に示す例で言えば、障害６０の復旧時には、伝送装置３２は、伝送装置３３からリンク３６ｂがリンクダウンしていることを示す状態情報を受信しても、ローカルリンクの障害による信号断よって生じた信号断であると判断して、リンク３４ｂの強制断６１を解除することができる。【００４４】
以上のように、この実施の形態１によれば、伝送装置間での障害通知を送信信号の強制断に依らず障害情報の授受通信によって行い、当該通信システム内での障害状態に応じて適切なリンクの強制断を実行するようにしたので、ノード装置と伝送装置との接続リンクの障害発生時にも伝送装置間での監視制御通信を維持したままノード装置への障害通知が行える。【００４５】
また、強制断によって生じる二次的な信号断を誘発する障害復旧後でも、不要な接続検出または強制断の誤動作を避けることができるので、通信が回復しないデッドロックを避けることができる。すなわち、監視制御機能に優れた伝送装置を構成することができる。したがって、この実施の形態１による伝送装置を用いれば、信頼性の高い通信システムを構築することが可能になる。【００４６】
実施の形態２．
図９は、この発明の実施の形態２による伝送装置にて行われる状態遷移を説明する図である。この発明の実施の形態２による伝送装置では、図１（実施の形態１）に示した伝送装置１０における監視制御部１５が、リンクおよびラインに障害が発生する二重障害に対応して、図９に示す状態遷移を管理・制御できるようになっている。【００４７】
すなわち、図９において、ローカルリンク障害状態Ｓ２０では、ローカルリンクが正常になった場合、当該通信システム内の全てのリンクおよびラインが正常であれば正常状態Ｓ２３に遷移する一方、ライン障害があればライン障害状態Ｓ２１に遷移し、またリモートリンク障害があればリモートリンク障害状態Ｓ２２に遷移するようになっている。【００４８】
ライン障害状態Ｓ２１では、ラインが正常になった場合、当該通信システム内の全てのリンクおよびラインが正常であれば正常状態Ｓ２３に遷移する一方、リモートリンク障害があればリモートリンク障害状態Ｓ２２に遷移し、また、ローカルリンク障害があればローカルリンク障害状態Ｓ２０に遷移するようになっている。【００４９】
リモートリンク障害状態Ｓ２２では、リモートリンクが正常になった場合、当該通信システム内の全てのリンクおよびラインが正常であれば正常状態Ｓ２３に遷移する一方、ライン障害があればライン障害状態Ｓ２１に遷移し、またローカルリンク障害があればローカルリンク障害状態Ｓ２０に遷移するようになっている。【００５０】
次に、図９〜図１１を参照して、実施の形態２による伝送装置で行われる障害通知動作について説明する。なお、図１０は、図２に示す通信システムにおいてリンクおよびラインに障害が発生した場合を示す図である。図１１は、図１０に示すリンクおよびラインに障害が発生した場合に図９に示す状態遷移による復旧に至る過程での動作シーケンスおよび各リンクの状態を示す図である。【００５１】
図１０では、ノード装置３０から伝送装置３２への送信に用いるリンク３４ａに障害６５が発生し、また伝送装置３２から伝送装置３３への送信に用いるライン３５ａに障害６６が発生したとしている。【００５２】
図１１において、伝送装置３２は、リンク３４ａから取り込んだ受信信号によって障害６５を検出するまでは、リンク３４（３４ａ，３４ｂ）は正常状態６７であると認識している（正常状態Ｓ２３）。そして、伝送装置３２は、リンク３４ａから取り込んだ受信信号によって障害６５を検出すると、リンク３４（３４ａ，３４ｂ）は障害状態６８であると認識する。【００５３】
つまり、伝送装置３２では、正常状態Ｓ２３からローカルリンク障害状態Ｓ２０に遷移する。すなわち、リンク３４ａの障害を示すリンク状態情報６９を対向する伝送装置３３に通知する（手順Ｔ２１）。図１１では、リンク３４ｂに送出する信号を強制断にしない場合を示しているが、実施の形態１にて説明したように、リンク３４ｂに送出する信号を強制断にしてもよい。【００５４】
伝送装置３３では、伝送装置３２からリンク状態情報６９を受信するまでは、リンク３６（３６ａ，３６ｂ）は正常状態７０であると認識している（正常状態Ｓ２３）。そして伝送装置３２からリンク状態情報６９を受信すると、正常状態Ｓ２３からリモートリンク障害状態Ｓ２２に遷移する。すなわち、リンク３６ａに送出する信号を強制的に遮断し（リンク３６強制断状態７１）、ノード装置３１に障害発生を通知する（手順Ｔ２２）。【００５５】
その後、ライン３５ａに障害６６が発生すると、伝送装置３３では、それを検出して伝送装置３２にリンク状態情報７２を通知する。しかし、伝送装置３３では、状態遷移はしない（手順Ｔ２３）。リンク状態情報７２を受信した伝送装置３２でも、単に受信処理してライン３５ａでの障害発生を記憶するのみで状態遷移はしない（手順Ｔ２４）。【００５６】
その後、リンク３４ａの障害が復旧すると、伝送装置３２は、リンク３４ａが正常になったことを検出するが、ライン３５ａが障害を起こしたままであるので、リンク３４ｂの強制断処理をしていなかった場合は強制断処理を行い、強制断処理をしていた場合はそれを解除せず（リンク３４強制断状態７４）、ライン障害状態Ｓ２１に遷移し、リンク３４ａが正常になったことを示すリンク状態情報７３を伝送装置３３に通知する（手順Ｔ２５）。リンク状態情報７３を受信した伝送装置３３は、リンク３６ａの強制断を解除せず、ライン障害状態Ｓ２１に遷移する（手順Ｔ２６）。【００５７】
そして、ライン３５ａが復旧すると、伝送装置３３では、それを検出し、全てのリンクおよびラインが正常であるので正常状態Ｓ２３に遷移し、リンク３６ａの強制断を解除し（リンク３６正常状態７６）、ライン３５ａの復旧を示すリンク状態情報７５を伝送装置３２に通知する（手順Ｔ２７）。リンク状態情報７５を受信した伝送装置３２も、全てのリンクおよびラインが正常であることを確認して正常状態Ｓ２３に戻り、リンク３４ｂの強制断を解除する（リンク３４正常状態７７）。これによって、ノード装置３０とノード装置３１との間のユーザデータの通信が再開される。【００５８】
実施の形態１にて説明したように障害通知のために強制断を起こした要因となるリンクまたはライン障害のみの復旧によって強制断を解除するようにした場合、二重障害発生時に一つの障害が排除されただけで、不要なリンクアップをする可能性がある。【００５９】
これに対し、この実施の形態２では、以上のように強制断実行後、当該通信システム内の全てのリンクおよびラインの復旧を確認して正常状態に戻るようにしているので、多重障害発生時にも正確な障害通知の実行が可能となり、その結果、不要なリンクアップを起こすことなく、全ての障害が排除されてからノード装置間でのユーザデータの送受信を再開させることができるようになる。【００６０】
実施の形態３．
図１２は、この発明の実施の形態３による伝送装置にて行われる状態遷移を説明する図である。この発明の実施の形態３による伝送装置では、図１（実施の形態１）に示した伝送装置１０における監視制御部１５が、図１２に示すように、図３に示した状態遷移に加えて、ラインリモート障害状態Ｓ２４と、ラインローカル障害状態Ｓ２５を管理・制御できるようになっている。【００６１】
図１２において、ラインリモート障害状態Ｓ２４には、リモートリンク障害状態Ｓ２２においてライン障害発生時に遷移する。そして、ラインリモート障害状態Ｓ２４においてラインが正常になった場合にリモートリンク障害状態Ｓ２２に戻る処理が行われる。リモートリンクは障害状態であることに変わりはない。【００６２】
また、ラインローカル障害状態Ｓ２５には、ローカルリンク障害状態Ｓ２０においてライン障害発生時に遷移する。そして、ラインローカル障害状態Ｓ２５においてラインが正常になった場合にローカルリンク障害状態Ｓ２０に戻る処理が行われる。ローカルリンクは障害状態であることに変わりはない。【００６３】
次に、図１２を参照して、実施の形態３による伝送装置で行われる障害通知動作について説明する。この実施の形態３では、リンク障害発生（Ｓ２０，Ｓ２１）後に、ライン障害が発生した場合、ラインリモート障害状態Ｓ２４またはラインローカル障害状態Ｓ２５に遷移し、リモートリンクまたはローカルリンクを強制断にする。その後リンク障害が復旧してもラインリモート障害状態Ｓ２４またはラインローカル障害状態Ｓ２５に止まりリンクの強制断を解除しない。【００６４】
その後、ライン障害が排除されると、リモートリンク障害状態Ｓ２１またはローカルリンク障害状態Ｓ２０に遷移する。このとき、既にリモートリンク障害またはローカルリンク障害が復旧している場合は、リンクの強制断を解除して、正常状態Ｓ２３に戻る。【００６５】
一方、ライン障害が先に復旧した場合でも、リモートリンク障害状態Ｓ２１またはローカルリンク障害状態Ｓ２０においてリモートリンク障害またはローカルリンク障害が残っている場合は、強制断を解除することはない。【００６６】
したがって、この実施の形態３では、当該通信システム内の全てのリンクおよびラインが復旧した場合にのみリンクの強制断を解除し、正常状態に遷移することによって二重障害時にも正確な障害通知ができるという実施の形態２と同様の作用・効果が得られる。【００６７】
また、この実施の形態３では、実施の形態１と同様にリンク障害発生時に、ローカルリンク障害またはリモートリンク障害のいずれによって強制断を行っているかを判別し、対応する障害が取り除かれた場合に正常状態に戻るようにしているので、リンクに１０００ＢＡＳＥ−Ｔを使用し、二次的な信号断が生じる場合でも不要なリンクアップが生じることはない。【００６８】
実施の形態４．
図１３は、この発明の実施の形態４による伝送装置にて行われる状態遷移を説明する図である。この発明の実施の形態４による伝送装置では、図１（実施の形態１）に示した伝送装置１０における監視制御部１５が、図１３に示すように、図３に示した状態遷移に加えて、各障害状態と正常状態との間で復旧待ち状態Ｓ２６，Ｓ２７，Ｓ２８を管理・制御できるようになっている。【００６９】
図１３において、復旧待ち状態Ｓ２６では、強制断の要因となったリモートリンクが障害から復旧しリモートリンク障害状態Ｓ２２から正常状態Ｓ２３に遷移する場合に、その遷移を全リンクが正常になる一定時間待機する処理が行われる。【００７０】
復旧待ち状態Ｓ２７では、強制断の要因となったラインが障害から復旧しラインリンク障害状態Ｓ２１から正常状態Ｓ２３に遷移する場合に、その遷移を全リンクが正常になる一定時間待機する処理が行われる。【００７１】
復旧待ち状態Ｓ２８では、強制断の要因となったローカルリンクが障害から復旧しローカルリンク障害状態Ｓ２０から正常状態Ｓ２３に遷移する場合に、その遷移を全リンクが正常になる一定時間待機する処理が行われる。【００７２】
ここで、待機する一定時間は、状態通知がラインを往復する時間、状態通知の処理時間および強制断解除からリンクアップまでの時間の総計よりも長い時間に設定する。これによって、リンクまたはラインの状態情報を伝送装置間で周期的に通信している場合に、強制断による二次障害や不要なリンクダウン、リンクアップを避けることができる。【００７３】
次に、図１３〜図１５を参照して、実施の形態４による伝送装置で行われる障害通知動作について説明する。ここでは、復旧待ち状態を設ける意義を明確にするために、復旧待ち状態を設けない場合も併せて説明する。すなわち、図１４は、図４に示す片方リンク障害が発生した場合の復旧に至る過程での動作シーケンスおよび各リンクの状態を示す図（図１３に示す復旧待ち状態を設けない場合）である。図１５は、図４に示す片方リンク障害が発生した場合の復旧に至る過程での動作シーケンスおよび各リンクの状態を示す図（図１３に示す復旧待ち状態を設けた場合）である。【００７４】
まず、復旧待ち状態を設けない場合の障害通知動作を説明する。図１４において、伝送装置３２は、リンク３４ａから取り込んだ受信信号によって障害３８を検出するまではリンク３４（３４ａ，３４ｂ）は正常状態８０であると認識している（正常状態Ｓ２３）。そして、伝送装置３２は、リンク３４ａから取り込んだ受信信号によって障害３８を検出すると、リンク３４（３４ａ，３４ｂ）は障害状態８２であると認識する。【００７５】
つまり、伝送装置３２では、正常状態Ｓ２３からローカルリンク障害状態Ｓ２０に遷移する。すなわち、リンク３４ａの障害を示すリンク状態情報８２を対向する伝送装置３３に通知する。また、必要に応じてリンク３４ｂに送出する信号を強制的に遮断してノード装置３０に障害発生を通知する。なお、必要に応じてとは、ノード装置３０がリンク３４ｂによるデータ通信の停止を必要としない場合があることを意味している。図１４では、リンク３４ｂに送出する信号を強制断にしない場合を示している。【００７６】
伝送装置３３では、伝送装置３２からリンク状態情報８２を受信するまではリンク３６（３６ａ，３６ｂ）は正常状態８３であると認識している（正常状態Ｓ２３）。そして、伝送装置３２からリンク状態情報８２を受信すると、正常状態Ｓ２３からリモートリンク障害状態Ｓ２２に遷移する。すなわち、リンク３６ａに送出する信号を強制的に遮断し（リンク３６強制断状態８４）、ノード装置３１に障害発生を通知する。【００７７】
伝送装置３２では、リンク３４ａの障害３８が復旧すると、リンク３４（３４ａ，３４ｂ）は正常状態８５であると認識し正常状態Ｓ２３に戻り、リンク３４ａが正常状態であることを示すリンク状態情報８６を伝送装置３３に送信する。また、リンク３４ｂを強制断にしている場合はそれを解除し、ノード装置３０に復旧を通知する。リンク３４ｂを強制断にしていない場合は、ノード装置３０は、リンク３４ａが復旧したことを管理者から知らされるようになっている。【００７８】
伝送装置３３では、リンク状態情報８６を受信すると、正常状態Ｓ２３に戻り、リンク３６ａの強制断を解除してリンク３６を正常状態８９に設定し、ノード装置３１に復旧を通知する。伝送装置３２が、リンク３４ａの復旧直後にだけリンク状態情報８６を伝送装置３３に送信する場合は、これによって、ノード装置３０とノード装置３１との間でユーザデータ通信を再開できる条件が整うことになる。【００７９】
ところが、伝送装置３２が、リンク３４ａの復旧後にリンク状態情報８６を周期的に伝送装置３３に送信する場合がある。この場合には、リンク３６ａの強制断が解除され、リンク３６が復旧する前に、伝送装置３３から伝送装置３２にリンク３６ａの信号断を示すリンク状態情報８７が通知されることがある。【００８０】
このリンク状態情報８７を伝送装置３２が受信した場合、伝送装置３２は、既に正常状態Ｓ２３であるので、今度は、リモートリンク障害状態Ｓ２２に移行してしまい、障害が復旧しているにも関わらず再度強制断（リンク３４強制断状態８８）を実行し、誤動作することがある。【００８１】
また、このリンク３４強制断状態８８は、通常ならリンク３６が正常状態８９に復旧したときに伝送装置３３から送られてくるリンク状態情報９０によって伝送装置３２が解除するので、リンク３４も正常状態９１に復旧するが、リンク３４が強制断状態８８になることで、更に伝送装置３３によるリンク３６の強制断を誘発し、デッドロックに入る可能性もある。【００８２】
次に、復旧待ち状態を設けた場合の障害通知動作を説明する。図１５において、伝送装置３２側では、リンク３４正常状態９２からリンク３４障害状態９３に移行するときにリンク状態情報９５を送信し、リンク３４障害状態９３が復旧したときリンク状態情報９９を送信する。リンク３４は正常状態９８となるが、伝送装置３２では、直ぐに正常状態Ｓ２３に遷移せずに復旧待ち状態Ｓ２８となる。【００８３】
また、伝送装置３３側では、リンク３６正常状態９６であるときにリンク状態情報９５を受信してリンク３６強制断状態９７に移行し、そのリンク３６強制断状態９７であるときにリンク状態情報９９を受信すると強制断を解除してリンク３６正常状態１０１に移行する。【００８４】
そして、伝送装置３２が、リンク３４ａの復旧後にリンク状態情報８６を周期的に伝送装置３３に送信する場合には、リンク３６ａの強制断が解除され、リンク３６が復旧する前に、伝送装置３３から伝送装置３２にリンク３６ａの信号断を示すリンク状態情報１００が通知されるが、伝送装置３２では、復旧待ち状態Ｓ２８である。【００８５】
したがって、伝送装置３２では、リンク状態情報１００の受信によって図１４にて説明したリンク３４強制断状態８８を誤って実行することはない。伝送装置３２では、伝送装置３３によるリンク３６の強制断（リンク３６強制断状態９７）が解除され、全てのリンクおよびラインが正常になったとき復旧待ち状態Ｓ２８から正常状態Ｓ２３に遷移することになる。【００８６】
なお、以上は、リンク状態情報を周期的に送信する場合であるが、その他、例えばイーサネット（登録商標）のリンクの自動設定機能を備えた伝送処理用デバイスには、信号断からの通信再開時に設定情報通信用のパルスを受信する度にリンクアップを示す信号が点滅状態になるものがある。そのような伝送処理用デバイスに図１３に示した復旧待ち状態を設けて状態遷移を管理・制御するこの実施の形態４による伝送装置を装備すれば、正常状態とローカルリンク障害状態との間の遷移を繰り返してしまう誤動作を排除することができる。【００８７】
このように、実施の形態４によれば、障害復旧時に正常状態に戻る前に復旧待機待ち状態を設けるようにしたので、リモートリンクが復旧途中である場合に、それを障害と誤認識し、再度障害通知が行われる誤動作を防ぐことができ、信頼性の高い障害通知を行うことができる。
【産業上の利用可能性】
【００８８】
以上のように、この発明にかかる伝送装置および障害通知は、２つの通信機器間に敷設される２本の伝送路上に間隔を置いて２つの伝送装置を配置する構成を有する通信システムにおいて、障害発生時に出力を強制断にして障害通知を伝搬させても監視制御データの通信を可能とし、かつ二重障害が発生しても不要な接続検出または強制断の誤動作を避けるのに有用である。
【図１】
2006075403.tif 000002
【図２】
2006075403.tif 000003
【図３】
2006075403.tif 000004
【図４】
2006075403.tif 000005
【図５】
2006075403.tif 000006
【図６】
2006075403.tif 000007
【図７】
2006075403.tif 000008
【図８】
2006075403.tif 000009
【図９】
2006075403.tif 000010
【図１０】
2006075403.tif 000011
【図１１】
2006075403.tif 000012
【図１２】
2006075403.tif 000013
【図１３】
2006075403.tif 000014
【図１４】
2006075403.tif 000015
【図１５】
2006075403.tif 000016
【国際調査報告】
2006075403.tif 000017
2006075403.tif 000018